(57)【要約】【課題】植木鉢を移動する際に植木鉢が変形する虞がなく、植え替え手入れ作業が容易な分割式植木鉢を提供する。【解決手段】この分割式植木鉢は、周方向に沿った複数位置で縦方向の分割線１３により複数個の分割片１４、１５に分割可能な植木鉢本体１と、組み合わされた植木鉢本体１の上端部の外周に取り付けられる環状の上側固定具２と、組み合わされた植木鉢本体１の下端部の外周に取り付けられる環状の下側固定具３とを有し、複数個の分割片１４、１５は、植木鉢本体１が組み合わされたときに相隣る側面対向縁１６に、互いに嵌り合う相互補完形状の嵌合部１７を備える。これにより一体的な植木鉢が組み立てられる。【選択図】図１
2009106174.tif 000002
【特許請求の範囲】
【請求項１】
周方向に沿った複数位置で縦方向の分割線により複数個の分割片に分割可能な植木鉢本体と、組み合わされた前記植木鉢本体の上端部の外周に取り付けられる環状の上側固定具と、組み合わされた前記植木鉢本体の下端部の外周に取り付けられる環状の下側固定具とを有し、
前記複数個の分割片は、前記植木鉢本体が組み合わされたときに相隣る側面対向縁に、互いに嵌り合う相互補完形状の嵌合部を備える、ことを特徴とする分割式植木鉢。
【請求項２】
前記植木鉢本体は、外周上端に、外周面から半径方向外側に張り出した移動用の取手部分を有する、ことを特徴とする請求項１記載の分割式植木鉢。
【請求項３】
前記上側固定具は、その下端縁に、周方向に複数個設けられた嵌着部を有し、各嵌着部は前記植木鉢本体の上端部の外周面に沿って軸線方向に突出している、ことを特徴とする請求項１または２に記載の分割式植木鉢。
【請求項４】
前記嵌着部は、前記植木鉢本体の上端部の外周面に弾性的に被着される可撓性を有する、ことを特徴とする請求項３に記載の分割式植木鉢。
【請求項５】
前記嵌着部は、その内側面に、前記上端部の外周面に設けたリブに弾性的に掛け止められる係合突起を備える、ことを特徴とする請求項４に記載の分割式植木鉢。
【請求項６】
前記下側固定具は、その上端縁に、周方向に複数個設けられた嵌着部を有し、各嵌着部は前記植木鉢本体の下端部の外周面に沿って軸線方向に突出している、ことを特徴とする請求項１ないし５のいずれかに記載の分割式植木鉢。
【請求項７】
前記嵌着部は、前記植木鉢本体の下端部の外周面に弾性的に被着される可撓性を有する、ことを特徴とする請求項６に記載の分割式植木鉢。
【請求項８】
前記嵌着部は、その内側面に、前記下端部の外周面に設けたリブに弾性的に掛け止められる係合突起を備える、ことを特徴とする請求項７に記載の分割式植木鉢。
【発明の詳細な説明】
【技術分野】
【０００１】
本発明は分割式植木鉢に関する。
【背景技術】
【０００２】
観葉花木は一定期間ごとに植え替え手入れをしなければならない。
【０００３】
既存の植木鉢、たとえば、直径３０ｃｍぐらいの中型鉢で花木の植え替え手入れを行う場合、花木の種類によっては根毛が植木鉢の内壁面にへばり着いて、花木を植木鉢から引き抜く作業に大変な苦労を伴い、また花木を痛めることがしばしば起こる。特に大型鉢になると、花木の根毛が鉢壁にへばり着かなくても、植木鉢から花木を取り出し花木の手入れをするのに、苦痛を伴うことが普通である。
【０００４】
そこで、鉢を中心から縦に二分割した分割片を合体させて１個の植木鉢を構成し、この植木鉢に締付枠を嵌着させて一体に組み立てる分割式植木鉢が知られている（下記特許文献１参照）。
【特許文献１】特開２００３−６１４７４号公報（図８）。
【発明の開示】
【発明が解決しようとする課題】
【０００５】
しかし、従来の分割式植木鉢は、単純な縦の直線により鉢を左右に二分割した構造である。このため、次のような課題がある。
【０００６】
すなわち、組み立てられた植木鉢に花木根部と土壌を投入調整して、植木鉢を移動する際に、組み合わせた分割片が重力で上下に滑って植木鉢が変形する虞がある。作業者は、そのような変形が生じないように取り扱いに注意を払う必要がある。また、分割片を合体させて１個の植木鉢に組み立てる際においても、分割片同士が上下に滑りやすく、組み立て難い。
【０００７】
本発明は、上述した問題点を解決するためになされたもので、植木鉢を移動する際に植木鉢が変形する虞がなく、植え替え手入れ作業が容易な分割式植木鉢を提供することにある。
【課題を解決するための手段】
【０００８】
かかる目的を達成するために、本発明の分割式植木鉢は、周方向に沿った複数位置で縦方向の分割線により複数個の分割片に分割可能な植木鉢本体と、組み合わされた前記植木鉢本体の上端部の外周に取り付けられる環状の上側固定具と、組み合わされた前記植木鉢本体の下端部の外周に取り付けられる環状の下側固定具とを有し、前記複数個の分割片は、前記植木鉢本体が組み合わされたときに相隣る側面対向縁に、互いに嵌り合う相互補完形状の嵌合部を備える、ことを特徴とする。
【発明の効果】
【０００９】
本発明の分割式植木鉢は、植木鉢本体を二分割した分割片が組み合わさったときに上下にずれないように嵌め合わされる。このため、組み立て、分解が簡単にできる。また、植木鉢を移動する際に、分割片同士がずれ落ちて植木鉢本体が変形することがない。したがって、花木の手入れでの苦労が激減する。
【００１０】
よって、本発明の分割式植木鉢によれば、園芸作業を楽に行うことができる。
【発明を実施するための最良の形態】
【００１１】
以下、図面を参照して、本発明に係る実施形態を説明する。
【００１２】
図１は本発明の実施形態に係る分割式植木鉢を示す展開斜視図、図２はその植木鉢の縦断面図、図３は植木鉢本体の展開斜視図、図４（ａ）は、上側固定具の斜視図、図４（ｂ）は上側固定具の断面図、そして図５（ａ）は下側固定具の斜視図、図５（ｂ）は下側固定具の断面図である。
【００１３】
図１に示す分割式植木鉢は合成樹脂製であり、植木鉢本体１と、その上下の端部に嵌着する上側固定具２および下側固定具３とから構成される。
【００１４】
植木鉢本体１は、図３から良く判るように、円筒状の胴部４と、その内部下端に形成した排水孔５ａ付きの底板部５と、胴部４の外周の上端すなわち植木鉢本体１の外周上端に外周面から半径方向外側に張り出すように形成した移動用の取手部分６からなる。取手部分６は、外向フランジ部７と、その半径方向外側縁から起立する起立壁部８からなり、断面がＬ字状をしている。そして、この取手部分６の起立壁部８の外周面９にはリブ１１が、また胴部４の下端部の外周面１０にはリブ１２が、それぞれ周方向に設けられている。これらのリブ１１および１２は、上記上側固定具２および下側固定具３のための掛け止め部として機能する。
【００１５】
図１に戻り、上記構造の植木鉢本体１は、周方向に沿った複数位置で縦方向の分割線１３により複数個の分割片に分割されている。ここでは径の中心で第１の分割片１４と第２の分割片１５の２つに分割されている。従って各分割片１４、１５は半円の長方形をしている。そして、それぞれの分割片１４、１５の相隣る側面対向縁１６（図３）には、互いに嵌り合う相互補完形状の嵌合部１７が形成されている。ここで相互補完形状の嵌合部１７とは、互いに嵌り合う関係にある凹部と凸部をいう。嵌合部１７として一方の分割片の側面対向縁１６に凸部が形成される場合は、他方にはこれと嵌合する反対形状の凹部が形成される。
【００１６】
本実施形態の場合、図３に示すように、第１の分割片１４の側面対向縁１６は、その辺方向（軸方向）の中間部に長方形に突出する第１凸部１８が形成され、その両端に長方形の２つの第１凹部１９が形成された形状となっている。また第２の分割片１５の側面対向縁１６は、その辺方向の中間部に長方形の第２凹部２０が形成され、その両端に長方形の２つの第２凸部２１が形成された形状となっている。そして、第１凸部１８は丁度第２凹部２０に、第２凸部２１は第１凹部１９に嵌り合う関係になっている。
【００１７】
このように第１の分割片１４と第２の分割片１５が嵌り合うことで、正しく上下の位置決めがなされ、一体的な植木鉢本体１に組み立てられる。また組み立てられた植木鉢本体１は、第１凸部１８が第２凹部２０に、第２凸部２１が第１凹部１９に嵌り合っているので、第１の分割片１４と第２の分割片１５が上下方向にずれることもない。
【００１８】
この状態の植木鉢本体１に対し、その上端部および下端部にそれぞれ上側固定具２および下側固定具３を嵌着して、一体的な植木鉢に組み立てる。
【００１９】
図４に上側固定具２を示す。図４の（ａ）は上側固定具２の斜視図、（ｂ）は断面図である。
【００２０】
上側固定具２は中空の環状筒体からなり、その上端には内向フランジ２２が形成されている。環状筒体の高さ方向の上側半分、つまり上部約二分の一の部分が、全周にわたって連続した一体面に形成され、基部２３を構成している。また、高さ方向の下側半分、つまり下部約二分の一の部分には、全周にわたり一定のピッチで下端から上方向に切欠き２４が設けられている。これにより基部２３の下端縁に、周方向に複数個の嵌着部２５が形成されている。各嵌着部２５は、基部２３の下端縁から植木鉢本体１の上端部の外周面に沿って、軸線方向に突出する凸部からなり、植木鉢本体１の上端部の外周面に弾性的に被着される可撓性を有する。そして、この可撓性の嵌着部２５には、それぞれその内側下端に係合突起２６が形成されている。
【００２１】
この上側固定具２を植木鉢本体１の上端部に在る取手部分６の起立壁部８に被せ、図２に示すように、可撓性の嵌着部２５の内側下端に設けた係合突起２６を外周面９のリブ１１を乗り越える位置まで移動させる。これにより、上側固定具２は、取手部分６の起立壁部８にしっかりと弾性的に被着し、植木鉢本体１の第１の分割片１４と第２の分割片１５を、上端部にて締結し固定する締付枠として機能する。また内向フランジ２２が植木鉢本体１の上端に当接して、上側固定具２の位置決めがなされると共に、植木鉢本体１の上端が被い隠される。
【００２２】
図５に下側固定具３を示す。図５（ａ）は下側固定具３の斜視図、（ｂ）は断面図である。
【００２３】
下側固定具３も中空の環状筒体からなり、その下端には大きな開口２７を有する底板２８が形成されている。下側固定具３の環状筒体は、高さ方向の下側半分、つまり下部約二分の一の部分が、全周にわたって連続した一体面に形成され、基部２９を構成している。また、高さ方向の上側半分、つまり上部約二分の一の部分には、全周にわたり一定のピッチで上端から下方向に切欠き３０が設けられており、これにより基部２９の上端縁に、周方向に複数個の嵌着部３１が形成されている。各嵌着部３１は、基部２９の上端縁から植木鉢本体１の下端部の外周面に沿って、軸線方向に突出する凸部からなり、植木鉢本体１の下端部の外周面に弾性的に被着される可撓性を有する。そして、この可撓性の嵌着部３１には、それぞれその内側上端に係合突起３２が形成されている。
【００２４】
作業者は、上記下側固定具３を下方から植木鉢本体１の下端部の外周面１０に被せ、植木鉢本体１の下側に押し込む。これにより図２に示すように、可撓性の嵌着部３１の内側上端に設けた係合突起３２が、外周面１０の２つのリブ１２の１つを乗り越えて、リブ１２間に来る位置まで移動する。この状態下では、下側固定具３が植木鉢本体１の下端部の外周面１０にしっかりと被着し、植木鉢本体１の第１の分割片１４と第２の分割片１５を、下端部にて締結し固定する締付枠として機能する。また底板２８が植木鉢本体１の下端に当接して、下側固定具３の位置決めがなされると共に、植木鉢本体１の下端が被い隠される。
【００２５】
仮に、上記の植木鉢本体１を二分割した各分割片１４、１５の側面対向縁１６に嵌合部１７が形成されていないとすると、次のような不都合が生じる。すなわち、組み立てられた植木鉢に花木根部と土壌を投入調整して、植木鉢を移動した場合、組み合わせた分割片１４、１５の側面が滑り、植木鉢が変形して移動が困難になる。
【００２６】
しかし、上記実施形態では、分割片１４、１５の側面対向縁１６に凹凸の嵌合部１７を設け、相互に嵌め合わせているため、分割片１４、１５による強固な植木鉢本体１が形成される。このため、植木鉢に重量物が充填されても、植木鉢本体１を移動しても上下方向に関し変形の虞は発生しない。
【００２７】
また、このように分割片１４、１５を対向させ嵌め合わせた植木鉢本体１に対して、その上端部に上側固定具２を上側から、また下側固定具３を下側から押し込むと、これにより完全な筒状体をなすように分割片１４、１５が拘束され、締め付けられる。すなわち、分割片１４、１５の側面対向縁１６の凹凸の嵌め合いが密になり、分割片１４、１５が一体化して頑丈な植木鉢が形成される。この植木鉢は縦上下方向位置の姿勢で簡単に組み立てられる。
【００２８】
さらに、植木鉢の上部には移動に必要な取手部分６が形成されているので、植木鉢が大型で重量があっても、植木鉢の移動をたやすく行うことができる。
【００２９】
植え込みの花木を手入れするときは、作業者は、植木鉢を横に伏せて上側固定具２を植木鉢の中央方向からハンマーで外向きに軽く叩く。これを上側固定具２の周に沿って複数個所で行うことにより、上側固定具２は簡単に外側に外れる。また下側固定具３についても、作業者は、下側固定具３を植木鉢中央方向からハンマーで軽く外向きに叩く。これを下側固定具３の周に沿って複数個所で行うことにより、下側固定具３は底部から外側に外れる。よって、植木鉢の組み立て分解作業を簡単に行うことができ、労せずに花木の手入れをなすことができる。
【００３０】
このように本発明の植木鉢は、分割片１４、１５が上下にずれないように嵌め合わされるため、組み立て分解が簡単にできると共に、移動で植木鉢が上下に変形することがない。したがって、作業者は、花木の手入れに苦労することなく、園芸作業を楽に行うことができるという長所を有する。
【００３１】
上記実施形態では、植木鉢本体１を円筒形として説明したが、多角形断面の筒状など、任意の形状の断面の筒状に形成することができる。また、その植木鉢本体１の外周面には、様々な印刷を施すことができる。例えば、木目模様や大理石模様、キャラクタ模様などの印刷を施すことができ、これにより観葉花木園芸を今以上に楽しむことができる。
【００３２】
また上記実施形態では、植木鉢本体１を構成する分割片の数が２つである場合を例にして説明したが、３個またはそれ以上の複数個の分割片で植木鉢本体１を構成することもできる。
【００３３】
また植木鉢本体１の胴部４は、上端部と下端部が同一径の筒型であるとして示したが、上端部の径を下端部の径より大きくした形状またはその逆の形状の筒型や、樽型、箱型、楕円筒型、皿型、椀型、逆円錐型、角型などにすることもできる。
【００３４】
さらに上記実施形態では分割式植木鉢の全体を合成樹脂製としたが、植木鉢本体１については、素焼きや陶器などの焼き物により構成することもできる。また上側固定具２や下側固定具３については、嵌着部に可撓性を付与できる材料であれば良く、合成樹脂の他、金属その他の材料で構成することができる。
【００３５】
また、相互補完形状の嵌合部１７は長方形の凹部と凸部として形成したが、三角形状または鋸歯状の凹部と凸部や、台形の凹部と凸部や、波状の凹部と凸部など、差込式に嵌合しあう他の形状に形成することができる。また、この凸部と凹部は、実施形態では１組設けているだけであるが、２組以上の凹部と凸部を設けることもできる。
【００３６】
さらに、実施形態では、上側固定具２および下側固定具３の嵌着部２５、３１が可撓性を有する凸部からなるとして説明した。しかし、嵌着部２５、３１は必ずしも可撓性のある凸部である必要は無い。たとえば、嵌着部２５、３１を可撓性のない凸部として構成し、代わりに、その分割片１４、１５側に、植木鉢本体１内に重量物を充填した際に分割片１４、１５が直径方向に伸びる可撓性を付与しても良い。この可撓性の付与は、分割片１４、１５を構成する材料にそのような可撓性を呈する樹脂を用いる方法を採用することができる。また、分割片１４、１５に可撓性の無い材料を用い、植木鉢本体１内に重量物を充填した際に、その分割片１４、１５の間に僅かな隙間が生じるのを許容する構造とする方法を採用することもできる。
【図面の簡単な説明】
【００３７】
【図１】本発明の実施形態に係る分割式植木鉢を示す展開斜視図である。
【図２】本発明の実施形態に係る分割式植木鉢の縦断面図である。
【図３】本発明の実施形態に係る植木鉢本体の展開斜視図である。
【図４】本発明の実施形態に係る上側固定具を示したもので、（ａ）はその斜視図、（ｂ）はその断面図である。
【図５】本発明の実施形態に係る下側固定具を示したもので、（ａ）はその斜視図、（ｂ）はその断面図である。
【符号の説明】
【００３８】
１  植木鉢本体、
２  上側固定具、
３  下側固定具、
４  胴部、
５  底板部、
６  取手部分、
７  外向フランジ部、
８  起立壁部、
９  外周面、
１０  外周面、
１１、１２  リブ、
１３  分割線、
１４  第１の分割片、
１５  第２の分割片、
１６  側面対向縁、
１７  嵌合部、
１８  第１凸部、
１９  第１凹部、
２０  第２凹部、
２１  第２凸部、
２２  内向フランジ、
２３  基部、
２４  切欠き、
２５  嵌着部、
２６  係合突起、
２７  開口、
２８  底板、
２９  基部、
３０  切欠き、
３１  可撓性の嵌着部、
３２  係合突起。
【図１】
2009106174.tif 000003
【図２】
2009106174.tif 000004
【図３】
2009106174.tif 000005
【図４】
2009106174.tif 000006
【図５】
2009106174.tif 000007